Podtech/llm-jp-corpus-v4-ja_patent huggingface dataset:
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  下記の工程：
ａ）Ｓ−（−）−５−〔〔２−（アセチルオキシ）−１−オキソプロピル〕アミノ〕−２，４，６−トリヨード−１，３−ベンゼンジカルボン酸ジクロリド（III）と２−アミノー１，３−プロパンジオールから出発して、Ｃ2〜Ｃ5アルコール類、グリコールモノアルキルエーテル類、および環状、直鎖状または分岐状のアルキルエーテル類からなる群より選ばれる溶媒中で、Ｓ−Ｎ，Ｎ′−ビス〔２−ヒドロキシ−１−（ヒドロキシメチル）エチル〕−５−〔〔２−（アセチルオキシ）−１−オキソプロピル〕アミノ〕−２，４，６−トリヨード−１，３−ベンゼンジカルボキシアミド（II）の形成；および
ｂ）水を添加して、溶液温度を５０〜７０℃の範囲に４〜８時間保つことによる、化合物（II）のアセチル基の加水分解
を含む、Ｓ−Ｎ，Ｎ′−ビス〔２−ヒドロキシ−１−（ヒドロキシメチル）エチル〕−５−〔（２−ヒドロキシ−１−オキソプロピル）アミノ〕−２，４，６−トリヨード−１，３−ベンゼンジカルボキシアミド（I）を製造する方法において、
２−アミノー１，３−プロパンジオールのＳ−（−）−５−〔〔２−（アセチルオキシ）−１−オキソプロピル〕アミノ〕−２，４，６−トリヨード−１，３−ベンゼンジカルボン酸ジクロリドに対するモル比が、６〜２５の範囲であり、反応混合物に、さらなる塩基を添加しないことを特徴とする方法。
【請求項２】  ２−アミノー１，３−プロパンジオールのＳ−（−）−５−〔〔２−（アセチルオキシ）−１−オキソプロピル〕アミノ〕−２，４，６−トリヨード−１，３−ベンゼンジカルボン酸ジクロリドに対する最小モル比が、８〜１５の範囲である、請求項１記載の方法。
【請求項３】  溶媒が、直鎖状または分岐状のＣ2〜Ｃ5アルコールである、請求項１または２記載の方法。
【請求項４】  溶媒が、Ｃ2〜Ｃ5第二級アルコールからなる群より選ばれる、請求項３記載の方法。
【請求項５】  溶媒が、イソプロパノール、ｓ−ブタノールおよびｔ−ブタノールからなる群より選ばれる、請求項２記載の方法。
【請求項６】  溶媒が、Ｃ3〜Ｃ7のグリコールモノアルキルエーテルである、請求項１または２記載の方法。
【請求項７】  溶媒が、２−メトキシエタノールおよび２−エトキシエタノールからなる群より選ばれる、請求項６記載の方法。
【請求項８】  溶媒が、Ｃ4〜Ｃ10の環状、直鎖状または分岐状のアルキルエーテルである、請求項１または２記載の方法。
【請求項９】  溶媒が、ジオキサン、ジグリムまたはメチルｔ−ブチルエーテルから選ばれる、請求項１または２記載の方法。
【請求項１０】  化合物（II）を製造する反応温度が、４８〜８５℃の範囲であり、反応時間が、２〜６時間の範囲である、請求項１〜９のいずれか１項記載の方法。
【請求項１１】  さらに、（ｂ）から得られた溶液を、ＨＣｌの添加により中和し、続いて濃縮して、マクロ多孔性で高度に架橋したスチレン樹脂上で、次に酸型に再生したスルホン酸型の強カチオン性樹脂上で、そしてＯＨ-型に再生した第二級アミン型の弱アニオン性樹脂上で、溶離により精製することを含む、請求項１〜１０のいずれか１項記載の方法。
【請求項１２】  工程（ｂ）の加水分解を、５５〜６５℃の温度および５〜７時間で実施する、請求項１〜１１のいずれか１項記載の方法。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  Ａ2Ｐ2ＷＯ12と、アルカリ土類金属、アルカリ金属、マンガン、鉄、コバルト、銅、亜鉛、アルミニウム、ガリウム、およびビスマスからなる群より選択される金属を含有する、ガラス相を含む結晶または非結晶酸化物相とを含むセラミック物体であって、ＡがＺｒおよびＨｆからなる群より選択されることを特徴とするセラミック物体。
【請求項２】  前記Ａ2Ｐ2ＷＯ12が約95重量パーセントよりも多い量で存在し、前記物体が約5％未満の多孔度を有することを特徴とする請求項１記載のセラミック物体。
【請求項３】  ＡＷ2Ｏ8を含み、前記酸化物相の金属が、イットリウム、ランタニド金属、スカンジウム、ニオブ、チタン、およびニッケルからなる群より選択されることを特徴とする請求項１記載のセラミック物体。
【請求項４】  重量パーセントで表して、前記ＡＷ2Ｏ8が約1％から約95％までの量で存在し、前記Ａ2Ｐ2ＷＯ12が約5％から約99％までの量で存在し、前記金属酸化物が約0.01％から約7％までの量で存在することを特徴とする請求項３記載のセラミック物体。
【請求項５】  前記物体が約10％未満の全孔隙率を有することを特徴とする請求項４記載のセラミック物体。
【請求項６】  負の熱膨張係数を有する２つの相を含むセラミック物体であって、前記相の内の１つが-50×10-7／℃未満の、室温での熱膨張係数を有することを特徴とするセラミック物体。
【請求項７】  前記物体が微小亀裂を示さないことを特徴とする請求項６記載のセラミック物体。
【請求項８】  第１の相が、Ｍがアルミニウム、スカンジウム、インジウム、イットリウム、ランタニド金属、ジルコニウム、およびハフニウムからなる群より選択され、Ｂがタングステン、モリブデン、およびリンからなる群より選択され、ＭおよびＢが、組成物Ｍ2Ｂ3Ｏ12が負のＣＴＥを有するように選択された組成物Ｍ2Ｂ3Ｏ12を有し、第２の相が、Ａがジルコニウムおよびハフニウムからなる群より選択され、Ｘがタングステンおよびモリブデンからなる群より選択された組成物ＡＸ2Ｏ8を有することを特徴とする請求項６記載のセラミック物体。
【請求項９】  前記第１の相がＡ2Ｐ2ＷＯ12であり、前記第２の相がＡＷ2Ｏ8であり、ＡがＺｒおよびＨｆからなる群から選択され、前記物体が、85℃および85％の相対湿度で700時間に亘り150ｐｐｍ未満の絶対値を有する長さ変化を示すことを特徴とする請求項７記載のセラミック物体。
【手続補正書】
【提出日】平成18年5月19日(2006.5.19)
【手続補正１】
【補正対象書類名】明細書
【補正対象項目名】請求項１
【補正方法】変更
【補正の内容】
【請求項１】  セラミック体に使用する結合剤系において、
結合剤成分、該結合剤成分のための溶剤、界面活性剤成分、および少なくとも前記結合剤成分および溶剤に対して非溶剤であり、該結合剤を含有するときに前記溶剤よりも低い粘度を示す成分を含み、該非溶剤成分が、約220から400℃までの間の90％回収蒸留温度を有する低分子量油を含むことを特徴とする結合剤系。
【手続補正２】
【補正対象書類名】明細書
【補正対象項目名】請求項４
【補正方法】変更
【補正の内容】
【請求項４】  100部の無機物に加えるものとすると、重量部で表して、約15から30部の低分子量油、約0.5から10部の界面活性剤、約2から20部の結合剤、および約50から75部の溶剤を含むことを特徴とする請求項１記載の結合剤系。
【手続補正３】
【補正対象書類名】明細書
【補正対象項目名】請求項６
【補正方法】変更
【補正の内容】
【請求項６】  前記低分子量油が、ポリアルファオレフィン、90％回収蒸留温度を示す軽鉱物油および線状アルファオレフィンからなる群より選択されることを特徴とする請求項１記載の結合剤系。
【手続補正４】
【補正対象書類名】明細書
【補正対象項目名】請求項８
【補正方法】変更
【補正の内容】
【請求項８】  無機粉末成分および結合剤系を含む成形可能な粉末バッチであって、該無機粉末成分が焼結可能な無機粒状材料からなり、前記結合剤系が、結合剤成分、該結合剤成分のための溶剤、界面活性剤成分、および少なくとも前記結合剤成分および溶剤に対して非溶剤であり、該結合剤を含有するときに前記溶剤よりも低い粘度を示す成分を含み、該非溶剤成分が、約220から400℃までの間の90％回収蒸留温度を有する低分子量油を含むことを特徴とする成形可能な粉末バッチ。
【手続補正５】
【補正対象書類名】明細書
【補正対象項目名】請求項１５
【補正方法】変更
【補正の内容】
【請求項１５】  可塑化粉末混合物を調製し、成形する方法において、
焼結可能な無機粉末材料混合物からなる無機粉末成分と、結合剤成分、該結合剤成分のための溶剤、界面活性剤成分、および少なくとも前記結合剤成分および溶剤に対して非溶剤であり、該結合剤成分を含有するときに前記溶剤よりも低い粘度を示す成分であって、約220から400℃までの間の90％回収蒸留温度を有する低分子量油を含む非溶剤成分を含む結合剤系とを含む成分を配合し、
前記配合した成分を混合し、可塑化して、可塑化混合物を調製し、
該可塑化混合物を成形して、未焼成体を形成する、
各工程を含むことを特徴とする方法。
【手続補正６】
【補正対象書類名】明細書
【補正対象項目名】請求項２２
【補正方法】変更
【補正の内容】
【請求項２２】  セラミックを製造するための組成物を調製し、成形し、得られた調製され成形された未焼成体を焼成する各工程を含む、セラミック製品を製造する方法において、前記セラミックを製造するための組成物が、焼結可能な無機粉末材料混合物からなる無機粉末成分と、結合剤、該結合剤のための溶剤、界面活性剤、および少なくとも前記結合剤および溶剤に対して非溶剤であり、該結合剤を含有するときに前記溶剤よりも低い粘度を示す成分であって、約220から400℃までの間の90％回収蒸留温度を有する低分子量油を含む非溶剤成分を含む結合剤系とを含むことを特徴とする方法。
【手続補正７】
【補正対象書類名】明細書
【補正対象項目名】０００６
【補正方法】変更
【補正の内容】
【０００６】
共に譲渡された米国仮特許出願第60/069,637号（Chalasani等）に開示された最近の解決策には、ハニカム構造体を形成するための粉末混合物が、粉末材料、結合剤、結合剤のための溶剤、界面活性剤、および結合剤と、溶剤、粉末材料とに対して非溶剤である成分を含有することが含まれている。この粉末混合物は、混合され、可塑化され、造型されて、改良された湿潤未焼成強度を有する未焼成セラミックプリフォーム体を形成し、したがって、薄壁ハニカム構造体の加工に使用するのに特に適している。さらに、Chalasaniは、水、セルロースエーテルおよび疎水性非溶剤を含有する好ましい水性結合剤系混合物が開示されている。
【手続補正８】
【補正対象書類名】明細書
【補正対象項目名】００１０
【補正方法】変更
【補正の内容】
【００１０】
本発明の上述した目的は、結合剤成分、該結合剤成分のための溶剤、界面活性剤成分、および該結合剤成分と溶剤とに対して非溶剤である成分の必須成分から構成される、セラミックまたは他の無機粉末から形成された未焼成物品の形成に使用するための結合剤系を提供する本発明により達成されるであろう。前記非溶剤成分は、前記結合剤を含有する場合に溶剤よりも低い粘度を示し、約220から400℃までの間の90％回収蒸留温度範囲を有する低分子量油、すなわち、低分子量油を含む。
【手続補正９】
【補正対象書類名】明細書
【補正対象項目名】００１５
【補正方法】変更
【補正の内容】
【００１５】
発明の詳細な説明
本発明によれば、後で焼成されるセラミックまたは他の無機体の未焼成物品加工工程に使用する結合剤系は、以下の成分、結合剤、結合剤のための溶剤、界面活性剤、および少なくとも該結合剤成分および溶剤に対して非溶剤である成分を含む。この非溶剤は、前記溶剤を含有する場合の結合剤よりも低い粘度および約220から400℃、好ましくは、約220から320℃、より好ましくは、約220から280℃までの間の90％回収蒸留温度の両方を示す低分子量油である。以後、これを低分子量油と称する。
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】 浸漬溶液としてのテトラヒドロフラン（ＴＨＦ）溶媒の中に溶解されたポリウレタン材料を含む貯蔵器を提供するステップ、
予防具の一般的な形状を有し、その長手軸に関して対称の軸を有するマンドレルを前記浸漬溶液の中へ垂直に浸漬するステップ、
浸漬している間、貯蔵器から取り出した後、およびすべての溶媒がフィルムから蒸発してしまう前に、マンドレルを少なくともその長手軸に関して半径方向に回転させるステップ、
マンドレルの上にフィルムを被覆するようにマンドレルを貯蔵器から垂直に取り出すステップ、および
フィルムから溶媒を蒸発させるステップを含んでなる、薄いフィルムの予防具を製造するための方法。
【請求項２】 前記の回転ステップは、前記マンドレルをその長手軸に関して時計回り方向および／または反時計回り方向に選択的に回転させるものである、請求項１に記載の方法。
【請求項３】 回転は同時に、異なる軸に関する所定回数の回転でもある、請求項２に記載の方法。
【請求項４】 マンドレルを貯蔵器に浸漬する前にマンドレルを冷却するステップをさらに含んでなる、請求項１に記載の方法。
【請求項５】 冷却ステップは、漸進的冷却を提供するために実施される、請求項４に記載の方法。
【請求項６】 漸進的冷却による冷却ステップは、複数の別個のステップで実施される、請求項５に記載の方法。
【請求項７】 請求項１の諸ステップが実施される際に、不活性雰囲気を提供してその中におけるＯ2を減少させるかあるいは除去し、溶媒の燃焼を防止するとともに水分のない雰囲気を維持するステップをさらに含んでなる、請求項１に記載の方法。
【請求項８】 不活性雰囲気における溶媒の濃度を調節して前記蒸発ステップにおいて蒸発率を調節するステップをさらに含んでなる、請求項７に記載の方法。
【請求項９】 前記不活性雰囲気の流量を調節して前記蒸発ステップにおいて蒸発率を調節するステップをさらに含んでなる、請求項７に記載の方法。
【請求項１０】 不活性雰囲気の温度を調節して前記蒸発ステップにおいて蒸発率を調節するステップをさらに含んでなる、請求項７に記載の方法。
【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】
ケーシングおよび該ケーシングの開口端部を閉鎖する端部部材を支持する可動心棒と、締め付け手段を有する端部封緘ステーションとを含み、前記締め付け手段によって、前記端部封緘ステーションへ心棒によって移送される前記ケーシングのエッジ部分と、前記ケーシングの長手方向に折り曲げられる前記端部部材のエッジとが押し合わされる容器形成装置において、前記締め付け手段はピストンを含み、該ピストンは前記ケーシングに対して長手方向に前後に移動させられ、該ピストンは、滑り軸へ押し方向に接近して締め付けを生じる押し面を有し、該押し面は締め付け部材の対向面であり、該締め付け部材は、前記締め付け手段のフレームの方向へ、前記ピストンの押し方向に抗して、垂直軸の周囲で回転するように配設され、前記対向面は、前記ピストンの前部分を形成し、該前部分は先細っていて押し方向にＶ字型であり、前記締め付け部材の締め付け面は、外方へ、前記締め付け手段のフレーム上に配置された締め付け対向面の方向へ向けられることを特徴とする容器形成装置。
【請求項２】
請求項１に記載の装置において、前記締め付け部材の軸は、前記先細っていて押し方向にＶ字型であるピストンの前部分の手前に配置されていることを特徴とする容器形成装置。
【請求項３】
請求項１または２に記載の装置において、前記ピストンは先細っていて引き方向にＶ字型である後部分を含み、該後部分は前記締め付け部材の対向面に対して配置され、押し軸へ前記引き方向に接近する前記対向面によって、前記締め付け部材は締め付け位置から外されることを特徴とする容器形成装置。
【請求項４】
請求項１ないし３のいずれかに記載の装置において、前記締め付け部材の締め付け面は、押し方向に対する断面に対して垂直な、曲がった形状を有し、前記フレーム上で前記締め付け面と対向する締め付け対向面は、前記断面において曲がった形状を有することを特徴とする容器形成装置。
【請求項５】
請求項１ないし４のいずれかに記載の装置において、前記締め付け部材と前記締め付け手段のフレームとの間には釣り合いリングが配され、該リングによって、締め付け空間は、前記締め付け部材と、その背後の前記フレームとの間に限定されることを特徴とする容器形成装置。
【請求項６】
請求項５に記載の装置において、前記釣り合いリングは、プラスチック製であることを特徴とする容器形成装置。
【請求項７】
請求項１ないし６のいずれかに記載の装置において、前記ピストンの押し運動の最先端の位置では、前記締め付け面は、前記締め付け対向面とともに、前記押し方向に対して開いた角度をなすことを特徴とする容器形成装置。
【請求項８】
請求項１ないし７のいずれかに記載の装置において、前記締め付け手段の締め付け面は、加熱されていないことを特徴とする容器形成装置。
【手続補正２】
【補正対象書類名】明細書
【補正対象項目名】００２９
【補正方法】変更
【補正の内容】
【００２９】
フレームH3上の締め付け対向面H11は、これに対応する締め付け部材H5の締め付け面H12と反対側の、締め付け部材を取り巻く内面の周囲に配設されている。この内面は自然にケーシングの端部と形が同じになる。すなわち、円筒形容器の場合は円形になる。この場合、締め付け面は、同様に、押し方向に対して垂直な断面において円形になる。これは図４に示し、また同図では、４つの締め付け部材H5があること、すなわちそれらの締め付け方向は90°の角度をなしていることも示しているが、その他の十分な数の締め付け部材H5を設けてもよい。耐久性および締め付け効率の観点から、最も望ましくは、締め付け手段のフレーム、締め付け部材およびピストンは、合金を含んだ、本目的に適した金属で作るとよい。
【手続補正３】
【補正対象書類名】明細書
【補正対象項目名】００３２
【補正方法】変更
【補正の内容】
【００３２】
図５は他の実施例による締め付け手段を示し、その主な原理は、釣り合いリングH9が締め付け部材H5とフレームH3との間に配されていること以外は、同様である。この釣合リングH9は、押し方向から見て、締め付け面の背後およびその対向面に作られる環状空間に配してよく、前記環状空間は、締め付け面H12に対しては内方の半径方向に、締め付け対向面H11に対しては外方の半径方向に配置されたショルダの裏に作られている。図５は上述の独立したリングに代わる構造を示し、釣り合いリングH9は、フレームに固定された締め付け対向面H11として、締め付け手段の最も外側の端部の方向に続いている。すなわち、釣り合いリングH9および締め付け対向面H11は、フレームH3の端部の拡幅部に取り付けられた同一の環状部材内に配されている。
【手続補正４】
【補正対象書類名】明細書
【補正対象項目名】００３６
【補正方法】変更
【補正の内容】
【００３６】
図６は、締め付け部材H5およびフレームH3により形成されている締め付け顎部が開いている状態を示す。この図および上述の構造から、顎部を開くには短い運動のみで十分であり、それらを閉じるのも同様であることも明らかである。このことは、締め付け面H12および締め付け対向面H11が互いに対して比較的小さな、４から６°の間の、例えば約５°の開き角度にあることを意味する。更に、それらの部分は互いに対して寸法決めされ、ピストンが最も前方の位置にある時、すなわち最大締め付け時は、上述の面は、少なくとも平行となるか、または押し方向に対して開いた角度をなす。仮にこれらの面が平行である場合、缶の端部における折り目の両エッジは、前記折り目が一方の端部から他方の端部まで同一の厚さであり、締め付け面H12および締め付け対向面H11に対してこの位置で均一に押し付けられ、この位置は図３の拡大された細部でも説明している。仮に、最先端の位置がこの位置を越え、締め付け面H2がケーシングＯの外面に対応する真直な締め付け対向面H11から離れてピストンの方へ斜め方向に向けられる場合、折り目は基底部のところで更に締め付け可能であり、したがって、特にケーシングＯのスカート部の最も外側のエッジが端部部材Ｐに対して折り曲げられる点において、緊密性を確保可能である。この位置は図７に示す。最先端の位置では、それらの面は互いにエッジで合わせてよく、その場合、それらは締め付け工程において、締め付け力および材料の圧縮性によって定まる位置で、容器の端部部材の材料によって分離状態に保たれる。
【手続補正５】
【補正対象書類名】明細書
【補正対象項目名】００３９
【補正方法】変更
【補正の内容】
【００３９】
容器形成装置は２つの連続する加熱ステーションＥおよびＦを有し、前記加熱ステーションは予熱ステーションＣおよび端部部材ステーションＤの後に配置され、送風温度が通常は少なくとも300℃であるため、端部部材ＰおよびケーシングＯの面上の熱封緘塗工は、前記部分では互いに向き合っていて、十分に熱くなり、したがって、端部封緘ステーションＨおよびＩにおける締め付け手段の締め付け面は、その締め付け面により行われる機械締め付けが十分に強力な端部封緘を生成するため、加熱する必要がない。したがって、この締め付け手段は軽量で簡易な構造である。
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】
ファブリックの基礎として機能する快適構成要素と、この快適構成要素内に統合されている情報インフラ構成要素とを含み、前記情報インフラ構成要素は、透過度検出構成要素および電気伝導性構成要素またはその組み合わせからなる群から選択され、電気伝導性構成要素は１つまたは複数の個々に絶縁された電気伝導性繊維を含む、ファブリック。
【請求項２】
快適構成要素が、綿、綿／ポリエステル混合物、マイクロデニールポリエステル／綿混合物、ポリプロピレンの繊維、およびその組み合わせからなる群から選択される紡ぎ糸である、請求項１に記載のファブリック。
【請求項３】
情報インフラ構成要素が、センサ、プロセッサ、またはワイヤレス送信装置を個々にまたは組み合わせで付着されている、請求項１に記載ファブリック。
【請求項４】
透過度検出構成要素が、シリカベースの光ファイバー、プラスチック光ファイバー、シリコーンゴム光ファイバー、およびその組み合わせからなる群から選択される、請求項１に記載のファブリック。
【請求項５】
電気伝導性構成要素が、本質的に伝導性の重合体、ドープされている繊維、金属繊維、およびその組み合わせからなる群から選択される、請求項１に記載のファブリック。
【請求項６】
快適構成要素が、管状の織って作られているファブリックと管状の編んで作られているファブリック、および二次元の織って作られているファブリックと二次元の編んで作られているファブリックからなる群から選択される、請求項１に記載のファブリック。
【請求項７】
体にぴったり合う構成要素をさらに備える、請求項１に記載のファブリック。
【請求項８】
体にぴったり合う構成要素が、スパンデックス紡ぎ糸である、請求項７に記載のファブリック。
【請求項９】
透過度検出構成要素が、２２５から２５５マイクロメートルという芯直径を有し、芯直径に０．５から１．０ｍｍ足したものに等しい被覆直径を有する被覆済み光ファイバーである、請求項４に記載のファブリック。
【請求項１０】
透過度検出構成要素が、少なくとも９ｍｍという曲げ半径を有する、請求項９に記載のファブリック。
【請求項１１】
前記情報インフラ構成要素が、心拍度数、ＥＫＧ、脈拍数、体温、呼吸速度、アレルギー反応、および声、ならびにその組み合わせからなる群から選択されるファブリックの着用者の身体的な様相を監視するための手段をさらに備える、請求項１に記載のファブリック。
【請求項１２】
ファブリックの基礎としての役割を果たす快適構成要素と、ファブリックを形成するために快適構成要素内に統合されている複数の信号伝送経路とを備え、複数の信号伝送経路が透過度検出構成要素または電気的伝導性構成要素のいずれかあるいは両方を含み、前記電気的伝導性構成要素が１つまたは複数の個々に絶縁された伝導性繊維を含む、ファブリック。
【請求項１３】
前記複数の信号伝送経路が前記快適構成要素に織り込まれている、請求項１２に記載のファブリック。
【請求項１４】
前記複数の信号伝送経路が前記快適構成要素に編み込まれている、請求項１２に記載のファブリック。
【請求項１５】少なくとも１つの信号伝送経路と結合されている少なくとも１つのセンサをさらに備える、請求項１２に記載のファブリック。
【請求項１６】
前記少なくとも１つのセンサが、ファブリック透過度センサを備える、請求項１５に記載のファブリック。
【請求項１７】
前記少なくとも１つのセンサが、ファブリックの着用者の身体的な状態を監視するセンサを備える、請求項１５に記載のファブリック。
【請求項１８】
体にぴったり合う構成要素をさらに備える、請求項１２に記載のファブリック。
【請求項１９】
体にぴったり合う構成要素が、スパンデックス紡ぎ糸である、請求項１８に記載のファブリック。
【請求項２０】
着用可能かつ移動可能で可撓性の情報インフラ、およびスタンドアロンまたはネットワーク化モードで動作している個人情報プロセッサとして使用することのできる、請求項１２に記載のファブリック。
【請求項２１】
快適構成要素が、綿、綿／ポリエステル混合物、マイクロデニールポリエステル／綿混合物、およびポリプロピレンの繊維、ならびにその組み合わせからなる群から選択される紡ぎ糸を含む、請求項１２に記載のファブリック。
【請求項２２】
複数の信号伝送経路が、前記経路の少なくとも１つに、センサ、プロセッサ、またはワイヤレス送信装置を個別にまたは組み合わせて付着されている、請求項１２に記載のファブリック。
【請求項２３】
透過度検出構成要素が、シリカベースの光ファイバー、プラスチック光ファイバー、およびシリコーンゴム光ファイバー、およびその組み合わせからなる群から選択される、請求項１２に記載のファブリック。
【請求項２４】
電気伝導性構成要素が、本質的に伝導性の重合体、ドープされている繊維、および金属繊維、ならびにその組み合わせからなる群から選択される、請求項１２に記載のファブリック。
【請求項２５】
快適構成要素が、管状の織って作られているファブリックと管状の編んで作られているファブリック、および二次元の織って作られているファブリックと二次元の編んで作られているファブリックからなる群から選択される、請求項１２に記載のファブリック。
【請求項２６】
透過度検出構成要素が、２２５から２５５ミクロンである芯直径を有し、芯直径に０．５から１．０ｍｍを足したものに等しい被覆直径を有する被覆されている光ファイバーである、請求項２３に記載のファブリック。
【請求項２７】
透過度検出構成要素が、少なくとも９ｍｍの曲げ半径を有する、請求項２６に記載のファブリック。
【請求項２８】
前記ファブリックが衣服として形成される、請求項１または１２に記載のファブリック。
【請求項２９】
情報インフラ構成要素が、センサ、プロセッサまたはワイヤレス送信装置を個別にまたは組み合わせで付着され、かつ、
ａ．シリカベース光ファイバー、プラスチック光ファイバー、およびシリコーンゴム光ファイバー、およびその組み合わせからなる群から選択された透過度検出構成要素、および
ｂ．本質的に伝導性の重合体、ドープされた繊維、および金属繊維、およびその組み合わせからなる群から選択された電気伝導性構成要素から
単独にまたは組み合わせでなる群から選択される、請求項１に記載のファブリック。
【請求項３０】
複数の信号伝送経路が、前記経路の少なくとも１つに、センサ、プロセッサまたはワイヤレス送信装置を個別にまたは組み合わせで付着され、かつ、信号伝送経路が、
ａ．シリカベース光ファイバー、プラスチック光ファイバー、およびシリコーンゴム光ファイバー、およびその組み合わせからなる群から選択された透過度検出構成要素、および
ｂ．本質的に伝導性の重合体、ドープされた繊維、および金属繊維、およびその組み合わせからなる群から選択された電気伝導性構成要素から
単独にまたは組み合わせでなる群から選択される、請求項１２に記載のファブリック。
【誤訳訂正書】
【提出日】平成18年2月23日(2006.2.23)
【誤訳訂正１】
【訂正対象書類名】明細書
【訂正対象項目名】００２２
【訂正方法】変更
【訂正の内容】
【００２２】
【比較例１】
２モルのＡｌ2Ｏ3、０．３６モルのＢａＣＯ3、０．４モルのＭｇＯ、０．０４モルの
Ｅｕ2Ｏ3からなる蛍光原料物質９９．９重量％と、融剤であるＡｌＦ3０．１重量％との
混合物を、エタノールを溶媒として２５０ｒｐｍで２０時間ボールミリングにより混合した。エタノールを除去した後、製造された乾燥混合物を３００ｃｃ坩堝に移して蓋を開放し、Ｎ2 ９６体積％とＨ2 ４体積％とからなる混合気体雰囲気下で、１５００℃で４時間熱処理した。図４に示されているように、製造された蛍光体の形状は球状ではなく、長い形状であることを確認することができる。
【誤訳訂正２】
【訂正対象書類名】明細書
【訂正対象項目名】００２３
【訂正方法】変更
【訂正の内容】
【００２３】
【比較例２】
４モルのＡｌ2Ｏ3、０．３６モルのＢａＣＯ3、０．４モルのＭｇＯ、０．０４モルの
Ｅｕ2Ｏ3からなる蛍光原料物質９９．７重量％と、融剤であるＡｌＦ3０．３重量％との
混合物を、エタノールを溶媒として２５０ｒｐｍで２０時間ボールミリングにより混合して混合物を製造した。エタノールを蒸発させて除去した後、前記混合物を３００ｃｃ坩堝に移して、開放し、Ｎ2 ９６体積％とＨ2 ４体積％とからなる混合気体雰囲気下で１５００℃で４時間熱処理した。図５に示されているように、製造された殆どの蛍光体粒子の形状は球状ではなかった。
【手続補正書】
【提出日】平成17年1月5日(2005.1.5)
【手続補正１】
【補正対象書類名】明細書
【補正対象項目名】特許請求の範囲
【補正方法】変更
【補正の内容】
【特許請求の範囲】
【請求項１】  （ａ）半導体基板上に配置されたフィールド酸化物層と、
（ｂ）接点領域内、及び、前記フィールド酸化物層の上に配置されたメタルプラグ接点であって、前記フィールド酸化物層と接触しているところのメタルプラグ接点と、
（ｃ）前記メタルプラグ接点に接続された金属と
を備える、リバースエンジニアリングを阻止または防止するのに適した半導体デバイス。
【請求項２】  （ａ）半導体基板上に配置されたフィールド酸化物層を設けるステップと、
（ｂ）接点領域内、及び、前記フィールド酸化物層の上に配置されたメタルプラグ接点であって、前記フィールド酸化物層と接触しているところのメタルプラグ接点を設けるステップと、
（ｃ）金属を前記メタルプラグ接点に接続するステップと
を含む、リバースエンジニアリングを阻止かつ／または防止する方法。
【請求項３】  （ａ）半導体基板上に配置されたフィールド酸化物層と、
（ｂ）接点領域外、及び、前記フィールド酸化物層の上に配置されたメタルプラグ接点であって、前記接点領域から絶縁されたところのメタルプラグ接点と、
（ｃ）前記メタルプラグ接点に接続された金属と
を備える、リバースエンジニアリングを阻止かつ／または防止するのに適した半導体デバイス。
【請求項４】  （ａ）半導体基板上に配置されたフィールド酸化物層を設けるステップと、
（ｂ）接点領域外、及び、前記フィールド酸化物層の上に配置されたメタルプラグ接点であって、前記接点領域から絶縁されたところのメタルプラグ接点を設けるステップと、
（ｃ）金属を前記メタルプラグ接点に接続するステップと
を含む、リバースエンジニアリングを防止かつ／または阻止する方法。
【請求項５】  前記メタルプラグ接点は、前記フィールド酸化物層の最上部に配置されている、請求項１または３に記載のデバイス。
【請求項６】  前記メタルプラグ接点は、前記フィールド酸化物層の最上部に配置されている、請求項２または４に記載の方法。
【請求項７】  前記メタルプラグ接点は、前記フィールド酸化物層と接触している、請求項３に記載のデバイス。
【請求項８】  前記メタルプラグ接点は、前記フィールド酸化物層と接触している、請求項４に記載の方法。
【請求項９】  前記フィールド酸化物層は、前記メタルプラグ接点を前記接点領域から絶縁している、請求項１に記載のデバイス。
【請求項１０】  前記フィールド酸化物層は、前記メタルプラグ接点を前記接点領域から絶縁している、請求項２に記載の方法。
【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項1】  カード読取装置であって、
着脱可能な、印が形成されたインタフェースカードを受容可能なレセプタクルと、
（ａ）前記インタフェースカードのメモリから読まれる、前記印の一つを識別する第１データと、
（ｂ）前記インタフェースカードを識別する第２データとを受信するデータ受信ユニットと、
前記一つの印が選択された場合に、前記第１及び第２データに基づいてサービスを提供するように構成されているサービス提供装置へ前記第１データを送信し、前記カード読取装置の前記レセプタクルへ前記インタフェースカードが挿入されてから抜かれるまでの間、前記第２データを前記サービス提供装置へ複数回送信する送信ユニットとを備えることを特徴とするカード読取り装置。
【請求項２】  前記第２データは、前記一つの印の前記選択において、前記サービス提供装置へ送信されることを特徴とする請求項１に記載のカード読取り装置。
【請求項３】  前記第２データは、前記一つの印が選択から解放された場合に、前記サービス提供装置へ送信されることを特徴とする請求項１に記載のカード読取り装置。
【請求項４】  前記第２データは、前記カード読取り装置から前記インタフェースカードが抜かれる際に、前記提供装置へ送信されることを特徴とする請求項１に記載のカード読取り装置。
【請求項５】  前記第２データは、前記選択の位置が移動した場合に、前記サービス提供装置へ送信されることを特徴とする請求項１に記載のカード読取り装置。
【請求項６】  前記第２データは擬似乱数であることを特徴とする請求項１に記載のカード読取り装置。
【請求項７】  前記第２データは、前記カードが前記レセプタクルに挿入されるたびにインクリメントされることを特徴とする請求項１に記載のカード読取り装置。
【請求項８】  前記第２データは前記インタフェースカードの前記メモリに格納されることを特徴とする請求項１に記載のカード読取り装置。
【請求項９】  前記サービス提供装置はセットトップボックスであることを特徴とする請求項１に記載のカード読取り装置。
【請求項１０】  前記サービス提供装置はパーソナルコンピュータであることを特徴とする請求項１に記載のカード読取り装置。
【請求項１１】  前記インタフェースカードが前記カード読取装置に装着された際に、前記第２データが前記サービス提供装置に送信されることを特徴とする請求項１に記載のカード読取り装置。
【請求項１２】  前記第２データはサービス識別子であることを特徴とする請求項１に記載のカード読取り装置。
【請求項１３】  前記サービス識別子は利用のためにベンダーによってアプリケーションによりセットされることを特徴とする請求項１２に記載のカード読取り装置。
【請求項１４】  前記サービス識別子は、中央当局によって前記ベンダーに割り当てられることを特徴とする請求項１３に記載のカード読取り装置。
【請求項１５】  印が形成された基板を具備するインタフェースカードを受け入れ可能なレセプタクルを有するカード読取り装置において実行されるプログラムであって、
（ａ）前記インタフェースカードのメモリから読まれる、前記印の一つを識別する第１データと、
（ｂ）前記インタフェースカードを識別する第２データとを受信する処理のためのコードと、
前記一つの印が選択された場合に、前記第１及び第２データに基づいてサービスを提供するように構成されているサービス提供装置へ前記第１データを送信し、前記カード読取装置の前記レセプタクルへ前記インタフェースカードが挿入されてから抜かれるまでの間、前記第２データを前記サービス提供装置へ複数回送信する処理のためのコードとを具備するプログラム。
【請求項１６】  前記プログラムは、前記カード読取り装置中のコンピュータ可読な媒体上に格納されていることを特徴とする請求項１５に記載のプログラム。
【請求項１７】  印が形成された基板を具備するインタフェースカードを受け入れ可能なレセプタクルを有するカード読取り装置のためのデータ送信方法であって、
（ａ）前記インタフェースカードのメモリから読まれる、前記印の一つを識別する第１データと、
（ｂ）前記インタフェースカードを識別する第２データとを受信するステップと、
前記一つの印が選択された場合に、前記第１及び第２データに基づいてサービスを提供するように構成されているサービス提供装置へ前記第１データを送信し、前記カード読取装置の前記レセプタクルへ前記インタフェースカードが挿入されてから抜かれるまでの間、前記第２データを前記サービス提供装置へ複数回送信するステップとを備えることを特徴とするデータ送信方法。
【請求項１８】  形成された印と、データを格納するメモリとを具備するインタフェースカードをカード読むカード読取り装置であって、
着脱可能な、印が形成された基板を具備するインタフェースカードを受容するレセプタクル手段と、
（ａ）前記インタフェースカードの前記メモリから読まれる、前記印の一つを識別する第１データと、
（ｂ）前記インタフェースカードを識別する第２データとを受信する受信手段と、
前記一つの印を選択た場合、前記第１データによって識別されるサービスを提供する外部装置へ、前記第１データを送信し、前記カード読取装置の前記レセプタクルへ前記インタフェースカードが挿入されてから抜かれるまでの間、前記第２データを前記外部装置へ複数回送信する送信手段とを備えることを特徴とするカード読取り装置。
【請求項１９】  カードインタフェースシステムであって、
印が形成された基板を具備する着脱可能なインタフェースカードと前記インタフェースカードを受容可能なレセプタクルを具備するカード読取り装置と、
（ａ）前記インタフェースカードのメモリから読まれる、前記印の一つを識別する第１データと、
（ｂ）前記インタフェースカードを識別する第２データとを受信するデータ受信ユニットと、
前記一つの印が選択された場合に、前記第１及び第２データに基づいてサービスを提供するように構成されているサービス提供装置へ前記第１データを送信し、前記カード読取装置の前記レセプタクルへ前記インタフェースカードが挿入されてから抜かれるまでの間、前記第２データを前記サービス提供装置へ複数回送信する送信ユニットとを備えることを特徴とするカードインタフェースシステム。
【誤訳訂正書】
【提出日】平成18年6月27日(2006.6.27)
【誤訳訂正１】
【訂正対象書類名】明細書
【訂正対象項目名】特許請求の範囲
【訂正方法】変更
【訂正の内容】
【特許請求の範囲】
【請求項１】
変形可能な３Ｄ物体の画像シーケンスを該物体の壁の動きの指示を伴って表示するための画像処理方法において、前記シーケンスの各画像における前記３Ｄ物体をセグメント化して前記３Ｄ物体の壁を突き止めるステップと、前記シーケンスの１つの画像における前記壁のボクセル又は部分の各々を、基準として選択された前記シーケンスの別の１つの画像における３Ｄ基準物体の壁に対する、当該ボクセル又は部分の変位の関数としてカラー化するステップとを有することを特徴とする画像処理方法。
【請求項２】
請求項１に記載の画像処理方法において、前記別の１つの画像における前記３Ｄ基準物体が、該３Ｄ基準物体の前記壁を表す境界を有する二進物体を提供するように処理されることを特徴とする画像処理方法。
【請求項３】
請求項２に記載の画像処理方法において、前記変位が、セグメント化された前記１つの画像における前記３Ｄ物体の壁の対応するボクセル又は部分と、前記二進３Ｄ基準物体の境界との間の予め定義された距離値として測定されることを特徴とする画像処理方法。
【請求項４】
請求項１ないし３の何れか一項に記載の画像処理方法において、セグメント化された前記１つの画像における前記３Ｄ物体の壁が、辺により連結された一群の面又は一群のゾーンにより表されることを特徴とする画像処理方法。
【請求項５】
請求項４に記載の画像処理方法において、前記予め定義された距離値は、前記面又はゾーンの各所定の点からこれら所定の点と前記二進３Ｄ基準物体の境界との間の距離を測定するために延びる線上で定義されることを特徴とする画像処理方法。
【請求項６】
請求項１ないし３の何れか一項に記載の画像処理方法において、セグメント化された前記１つの画像における前記３Ｄ物体の壁が、壁部分を形成するボクセル又はボクセルの集合により表されることを特徴とする画像処理方法。
【請求項７】
請求項６に記載の画像処理方法において、前記予め定義された距離値は、前記壁のボクセルから又は前記壁の部分における所定のボクセルから、これらボクセルと前記二進３Ｄ基準物体の境界との間で延びる線上で定義されることを特徴とする画像処理方法。
【請求項８】
請求項１ないし７の何れか一項に記載の画像処理方法において、前記壁のボクセル若しくは部分又はセグメント化された前記３Ｄ物体の面若しくはゾーンに、前記３Ｄ基準物体の境界に対するこれらの測定された距離の関数であるようなカラーコード化された尺度の各カラーが割り付けられることを特徴とする画像処理方法。
【請求項９】
請求項８に記載の画像処理方法において、セグメント化された前記１つの画像における３Ｄ物体の断面を表す２Ｄ画像が形成され、該セグメント化された物体が、カラーが前記３Ｄ基準物体の境界に対する測定距離の関数であるようなカラー化された部分を有する壁により表されることを特徴とする画像処理方法。
【請求項１０】
請求項１ないし９の何れか一項に記載の画像処理方法において、当該関心の物体が心臓の左心室であることを特徴とする画像処理方法。
【請求項１１】
請求項１ないし１０の何れか一項に記載の画像処理方法において、前記カラーコード化された３Ｄ物体が２Ｄ画像又は３Ｄ画像のシーケンスとして表示されることを特徴とする画像処理方法。
【請求項１２】
変形可能な３Ｄ物体の画像シーケンスの画像データの入力を受ける手段と、前記シーケンスの各画像における前記３Ｄ物体をセグメント化して前記３Ｄ物体の壁を突き止める手段と、前記シーケンスの１つの画像における前記壁のボクセル又は部分の各々を、基準として選択された前記シーケンスの別の１つの画像における３Ｄ基準物体の対応するボクセル又は部分に対する変位の関数としてカラー化する手段と、セグメント化およびカラー化した前記１つの画像の画像データを出力する手段とを有することを特徴とする画像処理システム。
【請求項１３】
医療デジタル画像データを収集する手段を有するような装置において、前記医療デジタル画像データにアクセスすると共に該画像データを処理する請求項１２に記載のシステムを有し、該処理された画像を表示する手段を有することを特徴とする装置。
【請求項１４】
変形可能な３Ｄ物体の超音波画像シーケンスを該物体の壁の動きの指示を伴って表示する表示手段を有すると共に、画像シーケンスの超音波画像データを収集する手段と、前記シーケンスの各画像における前記３Ｄ物体をセグメント化して前記３Ｄ物体の壁を突き止める手段と、前記シーケンスの１つの画像における前記壁のボクセル又は部分の各々を、基準として選択された前記シーケンスの別の１つの画像における３Ｄ基準物体の対応するボクセル又は部分に対する変位の関数としてカラー化する手段とを有することを特徴とする超音波検査装置。
【誤訳訂正２】
【訂正対象書類名】明細書
【訂正対象項目名】００２１
【訂正方法】変更
【訂正の内容】
【００２１】
４）測定された距離への所与のカラーの関連付け
図３Ａ、３Ｂを参照すると、このステップにおいては、カラーテーブルが、所与のカラーを、測定された距離Ｄに対して、又は或るオーダーの測定された距離の集合に対して関連付ける。例えば、距離の閾値が決定され、２つの距離閾値の間の距離に対応するカラーが、所与のオーダーの距離値を表すために定義される。この処理はカラーコード化処理と称される。このステップを実行するために当業者により使用することができるような多数のカラーコード化技術が存在する。図３Ａはカラーコード化された物体をコード化されたグレイスケールの陰で表している。
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
カスタムフィットする三次元の人工爪を作成するための、該人工爪の一部が、天然爪の上面に実質上適合する形状を少なくとも半剛的に維持するシステムであって、
天然爪の三次元形状を測定する、光源及びカメラを備えた非接触測定システムと、
前記人工爪の長さ及び三次元のスタイルを含むパラメータの選択を提供することにより、前記人工爪の三次元形状をデザインするためのデザインシステムと、
前記天然爪の前記三次元形状及び前記選択されたパラメータから、前記人工爪の三次元デザインを計算する前記デザインシステム内の計算モジュールと、
前記人工爪の前記三次元デザインを用いて前記人工爪を作成する機械加工装置であって、該人工爪が該天然爪の上面に実質上適合する形状を少なくとも半剛的に維持する機械加工装置と、
を備えていることを特徴とするシステム。
【請求項２】
前記光源が前記天然爪の上にパターンを投影し、前記カメラが該天然爪の二次元のグリッド画像を記録し、前記デザインシステムが該天然爪の形状のｘ、ｙ及びｚ軸座標を計算することを特徴とする、請求項１に記載のシステム。
【請求項３】
前記光源がレーザであり、前記非接触測定システムが前記天然爪を走査して、該天然爪の前記三次元形状を計算することを特徴とする、請求項１に記載のシステム。
【請求項４】
前記非接触測定システムが、前記天然爪の前記三次元形状を前記機械加工装置用の機械コードに変換することを特徴とする、請求項１に記載のシステム。
【請求項５】
前記機械加工装置が、材料を前記人工爪に切削するための機械データを受領するコンピュータ数値制御装置であることを特徴とする、請求項１に記載のシステム。
【請求項６】
天然爪とともに用いられる人工爪を特注デザインする方法であって、
非接触測定システムにより、前記天然爪のｘ、ｙ及びｚデータ点を計算するステップと、
前記人工爪のためのパラメータを選択するステップであって、該選択されるパラメータが長さ及びスタイルを含むステップと、
前記天然爪の前記ｘ、ｙ及びｚデータ点及び前記人工爪のための前記パラメータから、該人工爪の三次元形状を計算するステップと、
前記天然爪にカスタムフィットする前記人工爪を機械加工するステップと、
を含むことを特徴とする方法。
【請求項７】
前記人工爪の前記三次元形状を、該人工爪の機械加工用の機械データに変換するステップを更に含むことを特徴とする、請求項６に記載の方法。
【請求項８】
前記機械データが機械コードであることを特徴とする、請求項７に記載の方法。
【請求項９】
前記人工爪を機械加工するステップの前に、前記人工爪の前記三次元形状を表示するステップを更に含むことを特徴とする、請求項６に記載の方法。
【請求項１０】
天然爪の光学画像に基づいて、該天然爪に適合するよう特注の人工爪をデザインするための、コンピュータにより実行される方法であって、
天然爪の表面を含む指の表面を規定する画像データを、光学画像装置から受領するステップと、
前記画像データから前記天然爪の表面のｘ、ｙ及びｚデータ点を規定する画像データの一部を抽出するステップと、
前記人工爪用のデザインを選択するステップと、
前記人工爪用の三次元形状データ構造を作成するステップであって、該データ構造が、前記天然爪の表面を規定する前記ｘ、ｙ及びｚデータ点と前記人工爪用のデザインとを含むステップと、
前記三次元形状データ構造を、材料から前記人工爪を切削するための機械データに変換するステップと、
を含む方法。
【請求項１１】
前記画像データが、複数の天然爪の表面を含む複数の指の表面を規定することを特徴とする、請求項１０に記載の方法。
【請求項１２】
前記三次元形状データ構造を作成するステップが、
前記人工爪の上面を規定するステップであって、該上面の一部が前記天然爪の表面の境界面に対応するステップと、
該人工爪の長さを規定するステップと、
該人工爪の厚さを規定するステップと、
該人工爪のスタイルを規定するステップと、
を更に含むことを特徴とする、請求項１０に記載の方法。
【請求項１３】
前記三次元形状データ構造が、前記材料から前記人工爪を切削するためのコンピュータ数値制御装置によって読み出し可能な機械コードに変換されることを特徴とする、請求項１０に記載の方法。
【請求項１４】
前記機械データが、コンピュータ数値制御機に適した機械コードであることを特徴とする、請求項１０に記載の方法。
【請求項１５】
天然爪の光学画像に基づいて、該天然爪に適合するよう特注の三次元の人工爪をデザインするための、コンピュータにより実行される方法であって、
複数の天然爪の表面を含む複数の指の表面を規定する画像データを、光学画像装置から受領するステップと、
前記画像データから、前記複数の天然爪の表面を規定する画像データの一部を抽出するステップと、
複数の人工爪用の少なくとも１つのデザインを選択するステップと、
前記複数の人工爪のそれぞれに１つずつの複数の三次元形状データ構造を作成するステップであって、各データ構造が、前記複数の天然爪のそれぞれの表面のうちの１つを規定するデータ及び前記人工爪用のデザインとを含むステップと、
前記三次元形状データ構造を、材料から前記複数の人工爪を切削するための機械データに変換するステップと、
を含む方法。
【請求項１６】
前記機械データが、コンピュータ数値制御機に適した機械コードであることを特徴とする、請求項１５に記載のコンピュータにより実行される方法。
【請求項１７】
請求項１のシステムにより製造される人工爪。
【手続補正書】
【提出日】平成17年6月6日(2005.6.6)
【手続補正１】
【補正対象書類名】特許請求の範囲
【補正対象項目名】請求項１
【補正方法】変更
【補正の内容】
【請求項１】
発送品が第１の方向（Ｄ１）において分離されて方向変更個所（１０）に案内され、この方向変更個所（１０）から少なくとも１つの第２の方向（Ｄ２，Ｄ２′）に同様に分離されて搬出され、第２の方向（Ｄ２，Ｄ２′）が供給方向（Ｄ１）に対してほぼ直交している、偏平な発送品を方向変更するための装置において、方向変更個所（１０）が少なくとも１個の偏心ローラ（１１）を備え、この偏心ローラが少なくとも１つの平坦化された個所（１３）を有する外周部分（１２）を備えていることと、発送品を異なる２つの個所に搬出するために偏心ローラ（１１）が第２の方向（Ｄ２，Ｄ２′）に対応して２つの回転方向に操作可能であることを特徴とする装置。